(57)【要約】【課題】振動吸収部材の強度不足を招くことなく事務機器の移動や転倒を防ぐとともに、振動吸収部材を容易に装着することができるジ事務機器の振動吸収装置を提供すること。【解決手段】弾性部材によって一体成形され、事務機器の設置面上に載置されるベース部１Ａと、事務機器の底面に取り付けられたキャスター５１が嵌め込まれる筒状部１Ｂを有する振動吸収部材１によって構成される事務機器の振動吸収装置において、前記振動吸収部材１の筒状部１Ｂの一部に前記キャスター５１が通過するための開口部１ａを形成し、該開口部１ａを別部材２によって塞う。又、前記振動吸収部材１のベース部１Ａに、前記筒状部１Ｂに形成された開口部１ａに連なるテーパー溝１ｂを形成する。【選択図】図４
2012230261.tif 000002
【特許請求の範囲】
【請求項１】
弾性部材によって一体成形され、事務機器の設置面上に載置されるベース部と、事務機器の底面に取り付けられたキャスターが嵌め込まれる筒状部を有する振動吸収部材によって構成される事務機器の振動吸収装置において、
前記振動吸収部材の筒状部の一部に前記キャスターが通過するための開口部を形成し、該開口部を別部材によって塞いだことを特徴とする事務機器の振動吸収装置。
【請求項２】
前記振動吸収部材のベース部に、前記筒状部に形成された開口部に連なるテーパー溝を形成したことを特徴とする請求項１記載の事務機器の振動吸収装置。
【請求項３】
弾性部材によって一体成形され、事務機器の設置面上に載置されるベース部と、事務機器の底面に取り付けられたキャスターが嵌め込まれる筒状部を有する振動吸収部材によって構成される事務機器の振動吸収装置において、
前記振動吸収部材のベース部を吸盤形状としたことを特徴とする事務機器の振動吸収装置。
【請求項４】
前記振動吸収部材のベース部に、筒状部の中心部に開口する孔を形成したことを特徴とする請求項３記載の事務機器の振動吸収装置。
【請求項５】
前記振動吸収部材のベース部上に、前記キャスターを前記筒状部に導くための三角リブ状のガイド突起を突設したことを特徴とする請求項３又は４記載の事務機器の振動吸収装置。
【請求項６】
事務機器の設置面上に、前記振動吸収部材を受ける底板部材を設置したことを特徴とする請求項３〜５の何れかに記載の事務機器の振動吸収装置。
【発明の詳細な説明】
【技術分野】
【０００１】
本発明は、オフィス内に設置された複写機やプリンター等の事務機器の地震等における過大な振動を吸収して該事務機器の移動や転倒を防ぐための振動吸収装置に関するものである。
【背景技術】
【０００２】
近年、オフィスでの複写機やプリンター等の事務機器の地震等による過大な振動に対する安全対策が望まれている。
【０００３】
事務機器の振動に対する安全対策として、例えば特許文献１には、事務機器を設置する床面上に固定部材をボルトで固定し、この固定部材にワイヤーの一端を係止部材を介して固定するとともに、該ワイヤーを事務機器の固定ブラケットに通してキャスターに当接させた状態で事務機器下部の周囲を囲むように張設し、同ワイヤーの他端をロック手段を介して床面又は壁面に係止する構成が提案されている。これによれば、地震や過大な衝撃が発生した場合には、ワイヤーが過大な外力を受けて伸びるため、このワイヤーの伸びによって過大な外力が吸収されて事務機器が保護される。
【０００４】
又、特許文献２には、複数のキャスターとアジャスターを有する事務機器に加えられる衝撃や振動を吸収する手段として、キャスターを受ける輪止め（振動吸収部材）と床面上に固定されたベース板との間に摩擦板を設ける構成が提案されている。これによれば、衝撃・振動エネルギーのうち、従来の衝撃・振動吸収手段では吸収し切れなかったエネルギーを摩擦板の滑りによって吸収することができるため、地震等によって過度の衝撃や振動が加わった場合の事務機器の転倒が防がれるともに、事務機器内部に加わる加速度を減じて事務機器内部の破損や内部ユニット類の飛び出し、扉類の開きを防ぐことができる。
【先行技術文献】
【特許文献】
【０００５】
【特許文献１】特開平９−２８０２８８号公報
【特許文献２】特開平１０−０４８９０２号公報
【発明の概要】
【発明が解決しようとする課題】
【０００６】
しかしながら、特許文献１において提案された構成では、固定部材を床面上にボルトで固定する必要があるため、床面に傷が残る他、床面の状況によっては固定部材をボルトによって固定することができないという問題がある。
【０００７】
又、特許文献２において提案された構成では、ゴム等の弾性材で構成された輪止めの一部に切り込みが形成されているため、キャスターからの外力や振動によって輪止めが切り込み部から開き、輪止めが所期の機能を果たさなくなるばかりか、その強度が不足して破損する可能性があるという問題がある。
【０００８】
本発明は上記問題に鑑みてなされたものであり、その目的とする処は、振動吸収部材の強度不足を招くことなく事務機器の移動や転倒を防ぐとともに、振動吸収部材を容易に装着することができる事務機器の振動吸収装置を提供することにある。
【課題を解決するための手段】
【０００９】
上記目的を達成するため、請求項１記載の発明は、弾性部材によって一体成形され、事務機器の設置面上に載置されるベース部と、事務機器の底面に取り付けられたキャスターが嵌め込まれる筒状部を有する振動吸収部材によって構成される事務機器の振動吸収装置において、前記振動吸収部材の筒状部の一部に前記キャスターが通過するための開口部を形成し、該開口部を別部材によって塞いだことを特徴とする。
【００１０】
請求項２記載の発明は、請求項１記載の発明において、前記振動吸収部材のベース部に、前記筒状部に形成された開口部に連なるテーパー溝を形成したことを特徴とする。
【００１１】
請求項３記載の発明は、弾性部材によって一体成形され、事務機器の設置面上に載置されるベース部と、事務機器の底面に取り付けられたキャスターが嵌め込まれる筒状部を有する振動吸収部材によって構成される事務機器の振動吸収装置において、前記振動吸収部材のベース部を吸盤形状としたことを特徴とする。
【００１２】
請求項４記載の発明は、請求項３記載の発明において、前記振動吸収部材のベース部に、筒状部の中心部に開口する孔を形成したことを特徴とする。
【００１３】
請求項５記載の発明は、請求項３又は４記載の発明において、前記振動吸収部材のベース部上に、前記キャスターを前記筒状部に導くための三角リブ状のガイド突起を突設したことを特徴とする。
【００１４】
請求項６記載の発明は、請求項３〜５の何れかに記載の発明において、事務機器の設置面上に、前記振動吸収部材を受ける底板部材を設置したことを特徴とする。
【発明の効果】
【００１５】
請求項１記載の発明によれば、振動吸収部材はその筒状部の一部に形成された開口部にキャスターを通過させることによってキャスターに簡単に装着することができ、装着後は開口部が別部材によって塞がれるために該振動吸収部材の強度が不足することがない。又、キャスターから振動吸収部材へと伝播する事務機器の振動は、振動吸収部材の弾性変形によって効果的に吸収されるため、地震発生時等において事務機器の振動による移動や転倒が防がれる。
【００１６】
請求項２記載の発明によれば、振動吸収部材のベース部に、筒状部に形成された開口部に連なるテーパー溝を形成したため、このテーパー溝に沿って筒状部をキャスターへと導くことができ、振動吸収部材のキャスターへの装着を一層容易に行うことができる。
【００１７】
請求項３記載の発明によれば、振動吸収部材に事務機器から荷重が掛かると、該振動吸収部材のベース部が弾性変形して吸着盤として機能し、振動吸収部材が事務機器の設置面上に密着するため、地震発生時等において事務機器の振動が振動吸収部材の弾性変形によって吸収され、事務機器の移動と転倒が防がれる。
【００１８】
請求項４記載の発明によれば、事務機器を持ち上げてキャスターが振動吸収部材の筒状部から浮き上がると、吸着盤として機能していたベース部と設置面間の空気がベース部の孔から抜けるため、振動吸収部材の吸着盤としての機能が失われ、該振動吸収部材を設置面から容易に取り外すことができる。
【００１９】
請求項５記載の発明によれば、振動吸収部材のベース部上に突設されたガイド突起に沿ってキャスターを転動させることによって、該キャスターを振動吸収部材の筒状部へと容易に導くことができるため、振動吸収部材へのキャスターの設置が容易化して事務機器の設置を容易に行うことができる。
【００２０】
請求項６記載の発明によれば、事務機器の設置面が平滑でなく、そのままでは振動吸収部材が吸着盤として機能しないような場合であっても、設置面上に平滑な底板部材を設置し、その上に振動吸着部材を載置することによって該振動吸収部材を吸着盤として機能させることができる。
【図面の簡単な説明】
【００２１】
【図１】第１発明に係る振動吸収装置を備える事務機器の設置状態を示す正面図である。
【図２】第１発明に係る振動吸収部材の斜視図である。
【図３】第１発明に係る振動吸収部材へのキャスターの設置状態を示す斜視図である。
【図４】第１発明に係る振動吸収部材の開口部を別部材によって塞ぐ形態を示す斜視図であって、（ａ）は別部材で塞ぐ前の状態、（ｂ）は塞いだ後の状態を示す図である。
【図５】第１発明に係る振動吸収部材の開口部を別部材によって塞ぐ形態を示す斜視図であって、（ａ）は別部材で塞ぐ前の状態、（ｂ）は塞いだ後の状態を示す図である。
【図６】第１発明に係る振動吸収部材の開口部を別部材によって塞ぐ形態を示す斜視図であって、（ａ）は別部材で塞ぐ前の状態、（ｂ）は塞いだ後の状態を示す図である。
【図７】第２発明に係る振動吸収部材の斜視図である。
【図８】第２発明に係る振動吸収部材を斜め下方から見た斜視図である。
【図９】第２発明に係る振動吸収部材へのキャスターの設置状態を示す断面斜視図である。
【図１０】底板部材上に第２発明に係る振動吸収部材を設置する前の状態を示す斜視図である。
【図１１】底板部材上に第２発明に係る振動吸収部材を設置した後の状態を示す斜視図である。
【発明を実施するための形態】
【００２２】
以下に本発明の実施の形態を添付図面に基づいて説明する。
［第１発明］
図１は第１発明に係る振動吸収装置を備える事務機器の設置状態を示す正面図、図２は第１発明に係る振動吸収装置を構成する振動吸収部材の斜視図、図３は同振動吸収部材へのキャスターの設置状態を示す斜視図、図４〜図６は同振動吸収部材の開口部を別部材によって塞ぐ種々の形態を示す斜視図であって、各図において（ａ）は別部材で塞ぐ前の状態、（ｂ）は塞いだ後の状態をそれぞれ示す図である。
【００２３】
図１に示す事務機器５０は、複写機能とプリンター機能及びファクシミリ機能を兼備した複合機であって、該複合機５０は、その底面の四隅に取り付けられた計４つのキャスター５１（図１には２つのみ図示）及び同数の振動吸収部材１を介して水平な設置面Ｆ上に設置されている。
【００２４】
上記振動吸収部材１は、本発明に係る振動吸収装置を構成するものであって、その構成は同じであるため、以下、１つの振動吸収部材１についてのみ説明する。この振動吸収部材１は、ゴム等の弾性材によって一体成形されており、図２に示すように、円板状のベース部１Ａの中央に円筒状の筒状部１Ｂを一体に立設して構成されている。そして、この振動吸収部材１の筒状部１Ｂの一部には、前記キャスター５１の車輪５１ａが通過するためのスリット状の開口部１ａが形成されており、ベース部１Ａの一部には、筒状部１Ｂの開口部１ａに連なるテーパー溝１ｂが形成されている。又、ベース部１Ａ（筒状部１Ｂ）の中心部には円孔１ｃが形成されている。ここで、テーパー溝１ｂは、その高さが筒状部１Ｂの開口部１ａに向かって高くなるよう傾斜している。
【００２５】
而して、各振動吸収部材１は、ベース部１Ａのテーパー溝１ｂを各キャスター５１の車輪５１ａの下に当ててこれを強く車輪５１ａ方向に押し込めば、車輪５１ａがテーパー溝１ｂ上を転動しながら円筒部１Ｂへと導かれ、図３に示すように振動吸収部材１がキャスター５１に装着され、該振動吸収部材１の円筒部１Ｂにキャスター５１の車輪５１ａが組み込まれて設置され、車輪５１ａは振動吸収部材１のベース部１Ａに中心部に形成された円孔１ｃに外周の一部が嵌合して回り止めされる。
【００２６】
以上のように各キャスター５１に振動吸収部材１が装着されると、該振動吸収部材１の筒状部１Ｂに形成された開口部１ａが図４〜図６に示すように別部材２，３，４によってそれぞれ塞がれる。
【００２７】
図４に示す形態では、ゴムや樹脂等の弾性材によって構成された別部材２を振動吸収部材１に上方から差し込んで開口部１ａを塞ぐ構成が採用されている。即ち、円弧曲面状の別部材２の左右両端には嵌合突起２ａが形成されており、この嵌合突起２ａを振動吸収部材１の開口部の左右両端縁に縦方向に形成された嵌合溝１ｄに上方から差し込んで嵌合させることによって、図４（ｂ）に示すように振動吸収部材１の筒状部１Ｂに形成された開口部１ａが別部材２によって塞がれる。
【００２８】
又、図５に示す形態では、ゴムや樹脂等の弾性材によって平面視コの字状に一体成形された別部材３を振動吸収部材１の開口部１ａから差し込んで筒状部１Ｂに嵌め込むことによって開口部１ａを塞ぐ構成が採用されている。ここで、別部材３には振動吸収部材１の筒状部１Ｂの内周に嵌合する二股状の爪部３ａが円弧部３ｂから突設されており、この別部材３の爪部３ａを振動吸収部材１の開口部１ａから横方向に差し込んで該別部材３を押し込むことによって、別部材３の爪部３ａが図５（ｂ）に示すように振動吸収部材１の筒状部１Ｂの内周に嵌め込まれてキャスター５１の車輪５１ａの周囲を覆ってその回転を阻止するとともに、別部材３の円弧部３ｂが振動吸収部材１の開口部１ａを塞ぐ。
【００２９】
更に、図６に示す形態では、金属板によって円弧状に成形された別部材４を振動吸収部材１の筒状部１Ｂにビス５によって取り付けることによって振動吸収部材１の開口部１ａを別部材４によって塞ぐ構成が採用されている。ここで、別部材４の左右両端部には円孔４ａがそれぞれ形成されており、この別部材４を振動吸収部材１の筒状部１Ｂの開口部１ａの両端外周に押し当てた状態で、該別部材４の左右両端部に形成された円孔４ａに挿通するビス５を振動吸収部材１の筒状部１Ｂの開口部１ａの両側に形成された孔１ｅにねじ込むことによって別部材４が振動吸収部材１の筒状部１Ｂの外周に固定され、この別部材４によって振動吸収部材１の筒状部１Ｂに開口する開口部１ａが塞がれる。
【００３０】
以上のように、本実施の形態では、振動吸収部材１はその筒状部１Ｂの一部に形成された開口部１ａにキャスター５１を通過させることによって該キャスター５１に簡単に装着することができ、装着後は振動吸収部材１の開口部１ａが図４〜図６に示す別部材２〜４によって塞がれるために該振動吸収部材１の強度が不足することがない。特に、本実施の形態では、振動吸収部材１のベース部１Ａに、筒状部１Ｂに形成された開口部１ａに連なるテーパー溝１ｂを形成したため、このテーパー溝１ｂに沿って筒状部１Ｂをキャスター５１へと導くことができ、振動吸収部材１のキャスター５１への装着を一層容易に行うことができる。
【００３１】
又、本実施の形態では、キャスター５１から振動吸収部材１へと伝播する複合機５０の振動は、振動吸収部材１の弾性変形によって効果的に吸収されるため、地震発生時等において複合機５０の振動による移動や転倒が防がれるという効果が得られる。
｛第２発明｝
次に、第２発明の実施の形態を図７〜図１１に基づいて以下に説明する。
【００３２】
図７は第２発明に係る振動吸収装置を構成する振動吸収部材の斜視図、図８は同振動吸収部材を斜め下方から見た斜視図、図９は同振動吸収部材へのキャスターの設置状態を示す断面斜視図、図１０は底板部材上に振動吸収部材を設置する前の状態を示す斜視図、図１１は底板部材上に振動吸収部材を設置した後の状態を示す斜視図である。
【００３３】
本実施の形態においても、複合機等の不図示の事務機器は、前記実施の形態と同様に図７に示す計４つの振動吸収部材１１によって設置面上に設置されており、これらの振動吸収部材１１によって本発明に係る振動吸収装置が構成されている。
【００３４】
各振動吸収部材１１は、ゴム等の弾性材によって一体成形されており、図７に示すように、円板状のベース部１１Ａの中央に円筒状の筒状部１１Ｂを一体に立設して構成されている。ここで、振動吸収部材１１のベース部１１Ａは吸盤形状とされ、図９に示すようにその底面は球面状凹部を成している。そして、図８及び図９に示すように、振動吸収部材１１のベース部１１Ａには、筒状部１１Ｂの中心部に開口する小さな孔１１ａが形成されている。又、図７に示すように、振動吸収部材１１のベース部１１Ａ上の一部には、キャスター５１（図９参照）を筒状部１１Ｂに導くための三角リブ状のガイド突起１１ｂが突設されている。
【００３５】
而して、本実施の形態では、事務機器の設置面の所定箇所に振動吸収部材１１が予め設置されており、これらの振動吸収部材１１の筒状部１１Ｂ内に図９に示すようにキャスター５１が組み込まれることによって事務機器がキャスター５１及び振動吸収部材１１を介して設置面上に設置される。このとき、振動吸収部材１１のベース部１１Ａ上に突設されたガイド突起１１ｂに沿ってキャスター５１の車輪５１ａを転動させることによって、該キャスター５１を振動吸収部材１１の筒状部１１Ｂへと容易に導くことができるため、振動吸収部材１１へのキャスター５１の設置が容易化して事務機器の設置を容易に行うことができる。
【００３６】
そして、事務機器が設置面上に設置され、その底面に取り付けられたキャスター５１が図９に示すように振動吸収部材１１の筒状部１１Ｂの内部に組み込まれると、振動吸収部材１１のベース部１１Ａの中央に形成された孔１１ａがキャスター５１によって塞がれるとともに、振動吸収部材１１にキャスター５１を介して事務機器からの荷重が掛かると、該振動吸収部材１１のベース部１１Ａが弾性変形して吸着盤として機能する。このため、振動吸収部材１１のベース部１１Ａが事務機器の設置面上に密着すし、地震発生時等において事務機器の振動が振動吸収部材１１の弾性変形によって吸収され、事務機器の移動と転倒が防がれる。
【００３７】
又、振動吸収部材１１を設置面から取り除く場合には、事務機器を持ち上げてキャスター５１を振動吸収部材１１の筒状部１１Ｂから浮き上がらせると、キャスター１１の車輪５１ａによって塞がれていた振動吸収部材１１の孔１１ａが開口するため、吸着盤として機能していた振動吸収部材１１のベース部１１Ａと設置面間の空気が孔１１ａから抜け、振動吸収部材１１の吸着盤としての機能が失われる。このため、振動吸収部材１１を設置面から容易に取り外すことができる。
【００３８】
ところで、事務機器の設置面が平滑でなく、そのままでは振動吸収部材１１が吸着盤として機能しないような場合には、設置面上に図１０に示すような平滑な底板部材１２を設置し、その上に図１１に示すように振動吸着部材１１を載置することによって該振動吸収部材１１を吸着盤として機能させることができる。尚、底板部材１２は、表面が平滑な金属板１２ａの裏面にゴム等の防振材１２ｂを貼り合わせることによって構成されており、図１０に示すように、底板部材１２の振動吸収部材１１を設置する箇所に底板部材１２の金属板１２ａの表面に円形のケガキ線１３を描いておけば、その位置に振動吸収部材１１を図１１に示すように正確に載置することができる。
【符号の説明】
【００３９】
１        振動吸収部材
１Ａ      振動吸収部材のベース部
１Ｂ      振動吸収部材の筒状部
１ａ      振動吸収部材の開口部
１ｂ      振動吸収部材のテーパー溝
１ｃ      振動吸収部材の円孔
１ｄ      振動吸収部材の嵌合溝
１ｅ      振動吸収部材の孔
２〜４    別部材
２ａ      別部材の嵌合突起
３ａ      別部材の爪部
３ｂ      別部材の円弧部
４ａ      別部材の円孔
５        ビス
１１      振動吸収部材
１１Ａ    振動吸収部材のベース部
１１Ｂ    振動吸収部材の筒状部
１１ａ    振動吸収部材の孔
１１ｂ    振動吸収部材のガイド突起
１２      底板部材
１２ａ    底板部材の金属板
１２ｂ    底板部材の防振材
１３      ケガキ線
５０      複合機（事務機器）
５１      キャスター
５１ａ    キャスターの車輪
Ｆ        設置面
【図１】
2012230261.tif 000003
【図２】
2012230261.tif 000004
【図３】
2012230261.tif 000005
【図４】
2012230261.tif 000006
【図５】
2012230261.tif 000007
【図６】
2012230261.tif 000008
【図７】
2012230261.tif 000009
【図８】
2012230261.tif 000010
【図９】
2012230261.tif 000011
【図１０】
2012230261.tif 000012
【図１１】
2012230261.tif 000013